(57)【要約】      （修正有）【課題】加圧ラムの位置合せ作業を作業者の目視によって行うにあたり、当該作業者がテーブル上に乗らずに行うことできる鋼板のプレス矯正装置を提供する。【解決手段】鋼板ＳＰを載置するテーブル１０と、載置された鋼板ＳＰの被矯正部分を加圧して矯正する加圧ラム２が取り付けられると共にテーブルの長手方向に沿って移動するための移動手段６が設けられている門型フレーム１と、を備え、門型フレームの両脚部５は、作業者が鋼板ＳＰの矯正作業を行えるようなスペースを有するようにテーブルの長手方向に沿って下端部から上方に向かって切り欠かれている二又形状を脚部に成す一対の柱状体部位５１Ａ、５１Ｂと、柱状体部位５１Ａ、５１Ｂの下端部間に配置されている踏板５２と、を有し、移動手段は、両脚部の一対の柱状体部位５１Ａ、５１Ｂそれぞれに設けられ、テーブル上で転動する走行車輪６２で門型フレームをテーブルの長手方向に移動させる走行台車６１である。【選択図】図１
0003207399.tif 000002
【実用新案登録請求の範囲】
【請求項１】
鋼板を載置するテーブルと、前記テーブルに載置された前記鋼板の被矯正部分を加圧して矯正する加圧ラムが取り付けられると共に前記テーブルの長手方向に沿って移動するための移動手段が設けられている門型フレームと、を備えた鋼板のプレス矯正装置において、
前記門型フレームの両脚部は、
作業者が前記鋼板の矯正作業を行えるようなスペースを有するように前記テーブルの長手方向に沿って下端部から上方に向かって切り欠かれている二又形状を前記脚部に成す一対の柱状体部位と、
前記両脚部のうち少なくとも１つの脚部の前記一対の柱状体部位の下端部間に配置されている踏板と、を有し、
前記移動手段は、前記両脚部の前記一対の柱状体部位それぞれに設けられ、前記テーブル上で転動する車輪で前記門型フレームを当該テーブルの前記長手方向に移動させる走行台車であることを特徴とする鋼板のプレス矯正装置。
【請求項２】
前記踏板が設けられた前記一対の柱状体部位の内側側面間には安全ネットが配置されていることを特徴とする請求項１記載の鋼板のプレス矯正装置。
【考案の詳細な説明】
【技術分野】
【０００１】
本考案は、使用済の敷鉄板を現地保管場所にて再生修理するための鋼板のプレス矯正装置に関する。
【背景技術】
【０００２】
従来、建設・工事業者が保有する使用済の敷鉄板を現地保管場所にて再生修理するために鋼板のプレス矯正装置が使用されている。このプレス矯正装置としては、例えば図２に示すように、敷鉄板ＳＰを載置するテーブル１００と、テーブル１００に載置された敷鉄板ＳＰの被矯正部分を圧下して矯正する加圧ラム２００が取り付けられると共にテーブル１００の長手方向に沿って移動するための走行台車３００が設けられている門型フレーム４００と、を備えている。なお、走行台車３００は門型フレーム４００の脚部４１０、４１０それぞれに設けられている。また、２つの脚部４１０、４１０、及び当該２つの脚部４１０、４１０それぞれに設けられた走行台車３００は同一構造なので、同一符号を付して重複説明を排除にしている。
【０００３】
なお、本発明に関して記載すべき先行技術文献はない。出願人が知っている先行技術が文献公知発明に係るものではないからである。
【考案の概要】
【考案が解決しようとする課題】
【０００４】
しかしながら、背景技術に記載した鋼板のプレス矯正装置では、テーブル１００上に載置された敷鉄板ＳＰの変形個所に加圧ラム２００を位置合せするために作業者Ｗの目視によって行っているが、門型フレーム４００の両脚部４１０、４１０はそれぞれ１本で形成され且つ走行台車３００が脚部４１０に対して走行方向にかなり突出していることから、作業者Ｗはテーブル１００の側面側からこの位置合せ作業を行おうとすると脚部４１０や走行台車３００が目視の妨げになるので、作業者Ｗはこの位置合せ作業をテーブル１００上に乗って行わなければならない難点があった。
【０００５】
この位置合せ作業をテーブル１００上に乗って行っていると、テーブル１００に設けられた走行台車３００のストッパ１１０と、当該走行台車３００とに挟まれてしまう虞があった。また、この位置合せ作業をするにあたり走行台車３００や加圧ラム２００をリモコン（図示せず。）によって無線操作や有線操作しているが、作業者Ｗは位置合せ作業の際深く屈んだりするので、このリモコンを首からぶら下げていると、当該リモコンがテーブル１００や走行台車３００にぶつかって誤動作する場合があった。
【０００６】
また、作業者Ｗは敷鉄板ＳＰの変形状態によっては敷棒を手作業でセットしなければならないが、門型フレーム４００が上述のように構成されているので、適切な変形位置を捉えきれずに誤った位置に敷棒をセットしてしまう難点があった。この際、テーブル１００上に載置された敷鉄板ＳＰの上面に敷棒をセットしていると、加圧ラム２００で敷鉄板ＳＰを加圧したときに、この上面側の敷棒が飛び出してしまうことがあった。
【０００７】
本考案は、このような従来の難点を解消するためになされたもので、テーブル上に載置された鋼板の変形個所に加圧ラムを位置合せするための位置合せ作業を作業者の目視によって行うにあたり、当該作業者がテーブル上に乗らずに行うことできる鋼板のプレス矯正装置を提供することを目的とする。
【０００８】
また、本考案は、テーブル上に載置された鋼板の変形個所に敷棒を手作業でセットしても、当該鋼板の適切な変形位置を捉えることができる鋼板のプレス矯正装置を提供することを目的とする。
【課題を解決するための手段】
【０００９】
上述の目的を達成する本考案の第１の態様である鋼板のプレス矯正装置は、鋼板を載置するテーブルと、テーブルに載置された鋼板の被矯正部分を加圧して矯正する加圧ラムが取り付けられると共にテーブルの長手方向に沿って移動するための移動手段が設けられている門型フレームと、を備えたものである。
門型フレームの両脚部は、一対の柱状体部位と踏板とを有するものである。
一対の柱状体部位は、作業者が鋼板の矯正作業を行えるようなスペースを有するようにテーブルの長手方向に沿って下端部から上方に向かって切り欠かれている二又形状を脚部に成すものである。
踏板は、両脚部のうち少なくとも１つの脚部の一対の柱状体部位の下端部間に配置されているものである。
移動手段は、両脚部の一対の柱状体部位それぞれに設けられ、テーブル上で転動する車輪で門型フレームを当該テーブルの長手方向に移動させる走行台車である。
【００１０】
このような第１の態様である鋼板のプレス矯正装置によれば、テーブル上に載置された鋼板の変形個所に加圧ラムを位置合せするための位置合せ作業を作業者の目視によって行うにあたり、門型フレームの両脚部はそれぞれ、作業者が鋼板の矯正作業を行えるようなスペースを有するようにテーブルの長手方向に沿って下端部から上方に向かって切り欠かれている二又形状を脚部に成す一対の柱状体部位を有し、而も両脚部のうち少なくとも１つの脚部の一対の柱状体部位の下端部間に踏板を配置しているので、作業者は踏板に乗ったまま一対の柱状体部位間から鋼板を目視した状態で門型フレームを加圧ラムによる鋼板の被矯正部分まで移動させることができる。
したがって、鋼板の被矯正部分を目視するにあたり妨げられることなく直視することができることから、正確な位置合せを行うことができるようになるので、部分的に変形した敷鉄板を精度よく再生させることができ、また、作業者は踏板に乗った状態で深く屈むことなく鋼板の被矯正部分を目視することができるようになるので、テーブルに設けられた走行台車のストッパと、当該走行台車とに挟まれてしまうことを防ぐことができると共に、走行台車や加圧ラムを操作するためのリモコンを首からぶら下げていても当該リモコンがテーブルや走行台車にぶつかって誤動作してしまうことを防ぐことができる。
【００１１】
また、作業者は踏板に乗ったまま一対の柱状体部位間から鋼板を目視した状態で、テーブル上に載置された鋼板の変形個所に敷棒を手作業でセットすることができるので、当該鋼板の適切な変形位置を捉えることができるようになる。したがって、テーブル上に載置された敷鉄板の上面に敷棒をセットして加圧ラムで敷鉄板を加圧しても、この上面側の敷棒が飛び出してしまうことを極力防ぐことができる。
【００１２】
本考案の第２の態様は第１の態様である鋼板のプレス矯正装置において、踏板が設けられた一対の柱状体部位の内側側面間には安全ネットが配置されているものである。このような第２の態様である鋼板のプレス矯正装置によれば、テーブル上に載置された鋼板の上面に敷棒をセットして加圧ラムで鋼板を加圧した際に、この上面側の敷棒が作業者側に飛び出してしまってもこの安全ネットで敷棒が作業者に当たってしまうことを防ぐことができる。
【考案の効果】
【００１３】
本考案の鋼板のプレス矯正装置によれば、テーブル上に載置された鋼板の変形個所に加圧ラムを位置合せするための位置合せ作業を作業者の目視によって行うにあたり、当該作業者がテーブル上に乗らずに行うことできるようになる。したがって、正確な位置合せを行うことができるようになり、また、テーブルに設けられた走行台車のストッパと、当該走行台車とに挟まれてしまうことを防ぐことができ、さらに、走行台車や加圧ラムを操作するためのリモコンを首からぶら下げていても当該リモコンがテーブルや走行台車にぶつかって誤動作してしまうことを防ぐことができる。
【００１４】
また、本考案の鋼板のプレス矯正装置によれば、テーブル上に載置された鋼板の変形個所に敷棒を手作業でセットしても、当該鋼板の適切な変形位置を捉えることができるようになる。したがって、テーブル上に載置された敷鉄板の上面に敷棒をセットして加圧ラムで敷鉄板を加圧しても、この上面側の敷棒が飛び出してしまうことを極力防ぐことができる。
【図面の簡単な説明】
【００１５】
【図１】本考案の鋼板のプレス矯正装置における好ましい実施の形態例を示す図で、（Ａ）は正面図、（Ｂ）は（Ａ）の右側面図である。
【図２】従来の鋼板のプレス矯正装置を示す全体斜視図である。
【考案を実施するための形態】
【００１６】
以下、本考案の鋼板のプレス矯正装置を実施するための形態例について図面を参照して説明する。
本考案の鋼板のプレス矯正装置は従来の鋼板のプレス矯正装置と同様に、鋼板を載置するテーブルと、テーブルに載置された鋼板の被矯正部分を加圧して矯正する加圧ラムが取り付けられると共にテーブルの長手方向に沿って移動するための移動手段が設けられている門型フレームと、を備えている。このうち門型フレームが本考案の特徴部分である。
【００１７】
門型フレームは図１（Ａ）、（Ｂ）に示すように、テーブルを跨ぐように形成されているもので、テーブルの幅方向に沿って配置され加圧ラム２が駆動部３によって移動可能に設けられている横行部４と、横行部４の両端部それぞれに設けられた脚部５とから構成されている。
【００１８】
横行部４に設けられた駆動部３は、当該横行部４に設けられたレール３１と、レール３１に横行移動可能なように取り付けられ当該レール３１に沿って走行するモータ駆動の走行台車３２とから構成され、この走行台車３２に加圧ラム２が取り付けられている。加圧ラム２は、例えば空圧シリンダ或は油圧シリンダを有し、そのシリンダのシリンダ軸２１の先端部には矯正板２２が取り付けられている。
【００１９】
なお、図１（Ａ）、（Ｂ）においては、駆動部３は、２つのレール３１、３１間を跨ぐように走行台車３２が配置され、この２つのレール３１、３１間に加圧ラム２が配置されているが、これに限らず、加圧ラム２が取り付けられると共にテーブル１０の長手方向に沿って移動することができればどのような機構のものでもよい。
【００２０】
脚部５は、一対の柱状体部位５１Ａ、５１Ｂと踏板５２とを有するものである。一対の柱状体部位５１Ａ、５１Ｂは、作業者が鋼板ＳＰの矯正作業を行えるようなスペースを有するようにテーブル１０の長手方向に沿って下端部から上方に向かって切り欠かれている二又形状を脚部に成すものである。ここで、矯正作業とは、テーブル１０上に載置された鋼板ＳＰの変形個所に加圧ラム２を位置合せするための位置合せ作業も含むものである。
【００２１】
また、一対の柱状体部位５１Ａ、５１Ｂにはそれぞれテーブル１０の両側面に設けられた窪み部１０ａに嵌合する内側方向突出部５１ａが形成されている。なお、図１（Ａ）、（Ｂ）においては、一対の柱状体部位５１Ａ、５１Ｂは２本の柱状体が横行部４に固定されているが、これに限らず、１つの脚部に切欠部を設けて一対の柱状体部位５１Ａ、５１Ｂを形成させるようにしてもよい（図示せず。）。
【００２２】
踏板５２は、脚部５の一対の柱状体部位５１Ａ、５１Ｂの下端部間に配置されているものである。この踏板５２は、両脚部５、５のうちの何れか１つの脚部５に配置されていてもよい。これは、プレス矯正装置の設置場所の環境によっては、踏板５２を両脚部５、５に配置することができない場合があるからである。
【００２３】
また、図１（Ａ）、（Ｂ）においては、踏板５２は脚部５の外側に突出するように配置されているが、これに限らず、脚部５の外側に突出しないように一対の柱状体部位５１Ａ、５１Ｂ間に配置させてもよい。踏板５２が脚部５の外側に突出するように配置されている場合には、安全面を考慮して踏板５２の周囲に保護柵５３を設けるとよい。この保護柵５３には、踏板５２への出入りのためにドア（図示せず。）を設けることになる。
【００２４】
移動手段６は、両脚部５、５の一対の柱状体部位５１Ａ、５１Ｂそれぞれに設けられ、テーブル１０上で転動する走行車輪６２で門型フレーム１を当該テーブル１０の長手方向に移動させる走行台車６１である。なお、走行車輪６２は走行モータによって駆動されている。また、テーブル１０の側面で転動する案内車輪（図示せず。）も走行台車６１に設けられている。
【００２５】
なお、従来の門型フレームは脚部の幅が狭いので、加圧ラムで敷鉄板を加圧した際に門型フレームがバランスを崩さないように、走行台車が脚部の幅よりも走行方向の長さはかなり長く形成されている。これに対して本発明の門型フレーム１の脚部５は、一対の柱状体部位５１Ａ、５１Ｂが長手方向に沿って作業者Ｗが鋼板ＳＰの矯正作業を行えるようなスペースを有するように離隔しているので、各柱状体部位５１Ａ、５１Ｂに設けられた走行台車６１は柱状体部位５１Ａ、５１Ｂの幅方向から突出させる量を少なくすることができる。
【００２６】
このような走行台車６１がテーブル１０の長手方向から外れないように、当該テーブル１０の長手方向両端部にはそれぞれ走行してくる走行台車６１を係止するストッパ１１が設けられている。
【００２７】
なお、図１（Ａ）、（Ｂ）において、２つの脚部５、５、及び当該２つの脚部５、５それぞれに設けられた移動手段６は同一構造なので、同一符号を付して重複説明を排除している。
【００２８】
このように構成された本考案の鋼板のプレス矯正装置による矯正作業について説明する。なお、このプレス矯正装置は、建設・工事業者が保有する使用済の敷鉄板ＳＰを保管している場所に設置されている。
【００２９】
まず、使用済の敷鉄板ＳＰが保管されている場所から矯正するための敷鉄板ＳＰをクレーンやフォークリフト等によってテーブル１０に載置する。敷鉄板ＳＰをテーブル１０に載置すると、作業者Ｗは踏板５２に乗って敷鉄板ＳＰの矯正作業を開始する。この際、テーブル１０に載置された敷鉄板ＳＰの高さによっては踏板５２上に載せられた椅子（図示せず。）に座った状態でも矯正作業を行うことができる。
【００３０】
この矯正作業は、最初にテーブル１０上に載置された敷鉄板ＳＰの変形個所に加圧ラム２を位置合せするための位置合せ作業を行う。門型フレーム１の脚部５は作業者Ｗが敷鉄板ＳＰの矯正作業を行えるようなスペースを有するようにテーブル１０の長手方向に沿って下端部から上方に向かって切り欠かれている二又形状を脚部５に成す一対の柱状体部位５１Ａ、５１Ｂを有し、而も脚部５の一対の柱状体部位５１Ａ、５１Ｂの下端部間に踏板５２を配置しているので、作業者Ｗは踏板５２に乗ったまま一対の柱状体部位５１Ａ、５１Ｂ間から敷鉄板ＳＰを目視した状態で門型フレーム１を加圧ラム２による敷鉄板ＳＰの被矯正部分まで移動させることができる。即ち、作業者Ｗは踏板５２に乗ったままリモコンで門型フレーム１の走行台車６１及び横行部４の駆動部３をコントロールすることによって加圧ラム２を敷鉄板ＳＰの被矯正部分まで移動させることができる。
【００３１】
したがって、敷鉄板ＳＰの被矯正部分を目視するにあたり妨げられることなく直視することができることから、正確な位置合せを行うことができるようになるので、部分的に変形した敷鉄板ＳＰを精度よく再生させることができ、また、作業者Ｗは踏板５２に乗った状態で深く屈むことなく敷鉄板ＳＰの被矯正部分を目視することができるようになるので、テーブル１０に設けられた走行台車６１のストッパ１１と、当該走行台車６１とに挟まれてしまうことを防ぐことができると共に、走行台車３２、６１や加圧ラム２を操作するためのリモコン（図示せず。）を首からぶら下げていても当該リモコンがテーブル１０や走行台車６１にぶつかって誤動作してしまうことを防ぐことができる。
【００３２】
即ち、作業者はこのような位置合せ作業をテーブル１００上に乗って深く屈むような無理な姿勢で行わずに済むので、作業の安全性を確保できると共に、当該作業時間の短縮化を図ることができる。
【００３３】
また、敷鉄板ＳＰの被矯正部分の変形状態によっては敷棒（図示せず。）を使用しなければならないが、作業者Ｗは踏板５２に乗ったまま一対の柱状体部位５１Ａ、５１Ｂ間から敷鉄板ＳＰを目視した状態で、テーブル１０上に載置された敷鉄板ＳＰの変形個所に敷棒を手作業でセットすることができるので、当該敷鉄板ＳＰの適切な変形位置を捉えることができるようになる。したがって、テーブル１０上に載置された敷鉄板ＳＰの上面に敷棒をセットして加圧ラム２で敷鉄板ＳＰを加圧しても、この上面側の敷棒が飛び出してしまうことを極力防ぐことができる。
【００３４】
なお、踏板５２が設けられた一対の柱状体部位５１Ａ、５１Ｂの内側側面間には安全ネットが配置されていてもよい。このように安全ネット７を配置することで、テーブル１０上に載置された敷鉄板ＳＰの上面に敷棒をセットして加圧ラム２で当該敷棒を介して敷鉄板ＳＰを加圧した際に、この上面側の敷棒が万が一に作業者Ｗ側に飛び出してしまってもこの安全ネット７で敷棒が作業者Ｗに当たってしまうことを防ぐことができる。
【００３５】
このようにして門型フレーム１の走行台車６１及び横行部４の駆動部３によって加圧ラム２を敷鉄板ＳＰの被矯正部分まで移動させると、矯正作業として、加圧ラム２を油圧ポンプＰによって駆動させてシリンダ軸２１の先端部に取り付けられている矯正板２２で敷鉄板ＳＰの被矯正部分を加圧する。この際、テーブル１０の両側面に設けられた窪み部１０ａに、一対の柱状体部位５１Ａ、５１Ｂに形成された内側方向突出部５１ａが嵌合しているので、この加圧ラム２による加圧力は保持される。
【００３６】
なお、プレス矯正装置で矯正する鋼板ＳＰとして敷鉄板を使用していたが、これに限らず、このプレス矯正装置で矯正可能な鋼板ならばどのような鋼板でもよい。
【００３７】
これまで本考案について図面に示した特定の実施の形態をもって説明してきたが、本考案は図面に示した実施の形態に限定されるものではなく、本考案の効果を奏する限り、これまで知られたいかなる構成であっても採用することができることはいうまでもないことである。
【符号の説明】
【００３８】
１……門型フレーム
２……加圧ラム
５……脚部
５１Ａ、５１Ｂ……一対の柱状体部位
５２……踏板
６……移動手段
６１……走行台車
６２……走行車輪
７……安全ネット
１０……テーブル
ＳＰ……作業者
【図１】
0003207399.tif 000003
【図２】
0003207399.tif 000004